(57)【要約】【課題】環境の変化に応じて音楽コンテンツなどの音声情報を適切に制御することができる表示装置、画面表示方法および表示システムを提供する。【解決手段】輝度センサからの情報に基づいて、音楽制御部を制御するようにしたことを特徴とする。すなわち、表示装置の制御部は、輝度センサーから周囲の輝度値を読み取り（ステップＳ２１）、次いで、読み取った輝度値が明るいか判定する（ステップＳ２２）。判定した結果が明るい（Ｙｅｓ）ならば、音楽制御部に音量［大］を書き込む（ステップＳ２３）。一方、ステップＳ２２で判定した結果が明るくなければ（Ｎｏ）、読み取った輝度値が普通かどうか判定する（ステップＳ２４）。判定した結果が普通ならば（Ｙｅｓ）、音楽制御部に音量［中］を書き込む（ステップＳ２５）。ステップＳ２４で判定した結果が普通でなければ（Ｎｏ）、音楽制御部に音量［小］を書き込む（ステップＳ２６）。【選択図】図２
2007293020.tif 000002
【特許請求の範囲】
【請求項１】
表示部と、輝度センサーと、スピーカーとを備えた表示装置であって、
前記輝度センサーで読み取った値に基づいて、前記スピーカーに出力するための音楽コンテンツなどの音声情報を制御する音声制御部を備えたことを特徴とする表示装置。
【請求項２】
請求項１に記載の表示装置であって、
前記音声制御部は、前記輝度センサーで読み取った値に基づいて、音量調節を行う音量調節部を備えた表示装置。
【請求項３】
請求項１または２に記載の表示装置であって、
前記音声制御部は、前記輝度センサーで読み取った値に基づいて、出力する音楽を選択する音楽選択部を備えた表示装置。
【請求項４】
請求項１乃至３のいずれかに記載の表示装置であって、
さらに時間で表示の切り替えを行うタイマー制御部を備えた表示装置。
【請求項５】
請求項１乃至３のいずれかに記載の表示装置であって、
前記音声制御部は、前記輝度センサーで読み取った値に基づいて、出力するメッセージを選択するメッセージ選択部を備えた表示装置。
【請求項６】
請求項４に記載の表示装置であって、
前記タイマー制御部で設定した時間に基づいて前記音声制御部が音量調節を行うようにした表示装置。
【請求項７】
請求項１乃至６のいずれかに記載の表示装置であって、
前記輝度センサーからの情報で、前記表示部の発光輝度の制御を行う輝度制御部を備えた表示装置。
【請求項８】
請求項１に記載の表示装置であって、
前記表示部は、マトリックス状に配置された複数のＬＥＤ（発光ダイオード）を備えた表示装置。
【請求項９】
表示部と、輝度センサーと、スピーカーとを備えた表示装置の画面表示方法であって、
前記輝度センサーで読み取った値に基づいて、前記スピーカーに出力するための音楽コンテンツなどの音声情報を制御する音声制御工程を含む表示装置の画面表示方法。
【請求項１０】
請求項９に記載の表示装置の画面表示方法であって、
前記音声制御工程は、前記輝度センサーで読み取った値に基づいて、音量調節を行う音量調節工程を含む表示装置の画面表示方法。
【請求項１１】
請求項９または１０に記載の表示装置の画面表示方法であって、
前記音声制御工程は、前記輝度センサーで読み取った値に基づいて、出力する音楽を選択する音楽選択工程を含む表示装置の画面表示方法。
【請求項１２】
請求項９乃至１１のいずれかに記載の表示装置の画面表示方法であって、
前記音声制御工程は、さらに時間で表示の切り替えを行うタイマー制御工程を含む表示装置の画面表示方法。
【請求項１３】
画像および音声を出力するための表示システムであって、
周囲の明るさを検出する輝度センサーと、前記輝度センサーが検出した周囲の明るさに応じた音量を出力するスピーカーとを備えた表示装置と、
ネットワークに接続され、前記表示装置で出力可能な表示コンテンツおよび音声コンテンツを送信するサーバと、
携帯電話網を介して前記ネットワークに接続され、前記サーバから前記表示コンテンツおよび音声コンテンツをダウンロードするとともに、ダウンロードした前記表示コンテンツおよび音声コンテンツを赤外線による無線通信により前記表示装置に送信する携帯端末とを含む表示システム。
【発明の詳細な説明】
【技術分野】
【０００１】
本発明は、表示装置、画面表示方法および表示システムに関し、特に、ＬＥＤ（light-emitting diode：発光ダイオード）等の発光体をマトリックス状に配置し、文字や図形を表示する表示装置において、音楽等を出力する表示装置の自動音量調節に関するものである。
【背景技術】
【０００２】
従来、視覚に訴えるための文字・図形を表示するＬＥＤ表示器が主流であったが、更に聴覚に訴える音声付き電光表示器が提案されている。図９は、従来の音声付き電光表示器の概略構成を示す。この音声付き電光表示器３０は、通常の電光表示器の構成に加えて、表示器本体５の内部またはその近傍に配置されたスピーカー２１と、該スピーカー２１を駆動するアンプ２２と、ＥＰＲＯＭやＥＥＰＲＯＭ、フラッシュＲＯＭ等の内部記憶装置２４に予め記憶した複数組の電子音声信号データＤ２から選択信号Ｓ２にしたがって任意の組の電子音声信号データｄを前記アンプ２２に生成出力する電子音声発生装置２５と、を備える。
【０００３】
そして、ＩＣカード６ａやフロッピーディスク６ｂ等の記憶媒体６に表示すべき文字・図形データＤ１を時系列的に記憶するとともに任意の選択された表示状態時に前記電子音声発生装置２５が選択された組ｄの電子音声を生成出力するように作動する選択信号Ｓ２をタイミングデータとして記憶する構成を有する（例えば、特許文献１参照）。
【０００４】
更に近年では、ＩＴ技術の進展に伴い、音楽コンテンツ配信システムが提案されている。図１０は、従来の音楽コンテンツ配信システムの概念図を示す。この音楽コンテンツ配信システムにおいては、音楽コンテンツを配信する音楽コンテンツ配信事業者が管理する音楽コンテンツ配信事業者システム１００と、携帯電話機３００における携帯キャリアやクレジット会社などのような課金事業者が管理する課金事業者システム１０２とが、インターネット網１０３により接続されている。なお、これら音楽コンテンツ配信事業者システム１００ならびに課金事業者システム１０２は、物理的にはコンピュータにより構成される。
【０００５】
また、音楽コンテンツ配信事業者システム１００から音楽コンテンツを配信される音楽コンテンツ配信対象物１０４としては、例えば、ユーザが利用する電子レンジ、冷蔵庫、エアコンならびにテレビなどの家庭用電化製品や、人形、ぬいぐるみならびに幼児用ベッド取付型メリーゴーランドなどの玩具や、絵本、雑誌などの書籍などがある（例えば、特許文献２参照）。
【０００６】
【特許文献１】登録実用第３０２３６５８号公報
【特許文献２】特開２００５−１４９１４１号公報
【発明の開示】
【発明が解決しようとする課題】
【０００７】
しかしながら、このような音楽コンテンツ配信システムをＬＥＤ表示器に採用し、ＬＥＤ表示器から出力する音量を設定する場合は、図１１に示すように、あらかじめ音量［大］（ステップＳ１）か、音量［中］（ステップＳ３）か、音量［小］（ステップＳ５）を選択し、その選択した音量を［大］（ステップＳ２）、［中］（ステップＳ４）、［小］（ステップＳ６）として音楽制御部に書き込む手間が必要である。
【０００８】
したがって、ＬＥＤ表示器から出力される音楽コンテンツに応じて最適な音量に調節するためには、図１１に示した音量設定をやり直さなければならない。また、ＬＥＤ表示器から出力される音量は、昼夜を問わず設定時に書き込んだ一定の音量となるため、昼間には周囲の騒音の影響でＬＥＤ表示器からの音声が聞き取れない場合が生じる。一方、夜間には逆にＬＥＤ表示器の音声が周囲へ騒音となり迷惑となる場合が生じていた。
【０００９】
さらに、ＬＥＤ表示器から出力される音量は、設定時に書き込んだ一定の音量となるため、屋外で使用されることが多いＬＥＤ表示器の音量を、天候の急変など環境の変化に応じて適切に調整することができなかった。
【００１０】
本発明は、上記従来の事情に鑑みてなされたものであって、環境の変化に応じて音楽コンテンツなどの音声情報を適切に制御することができる表示装置、画面表示方法および表示システムを提供することを目的としている。
【課題を解決するための手段】
【００１１】
本発明は、表示部と、輝度センサーと、スピーカーとを備えた表示装置であって、前記輝度センサーで読み取った値に基づいて、前記スピーカーに出力するための音楽コンテンツなどの音声情報を制御する音声制御部を備えたことを特徴とする表示装置である。
【００１２】
かかる構成によれば、周囲の明るさの変化など輝度センサーで読み取った値に基づいて、スピーカーに出力するための音声情報を制御するので、環境の変化に応じてその都度制御しなくても音声情報を適切に制御することができる。
【００１３】
また、本発明の表示装置において、前記音声制御部は、前記輝度センサーで読み取った値に基づいて、音量調節を行う音量調節部を備える。
【００１４】
かかる構成によれば、周囲の明るさの変化など輝度センサーで読み取った値に基づいて、スピーカーから出力する音量を調節するので、周囲の明るさの変化に応じてその都度制御しなくても音量を適切に制御することができる。
【００１５】
また、本発明の表示装置において、前記音声制御部は、前記輝度センサーで読み取った値に基づいて、出力する音楽を選択する音楽選択部を備える。
【００１６】
かかる構成によれば、周囲の明るさの変化など輝度センサーで読み取った値に基づいて、出力する音楽を選択するので、環境の変化に応じた最適な音楽を自動的に選択することができる。
【００１７】
また、本発明の表示装置は、さらに時間で表示の切り替えを行うタイマー制御部を備える。
【００１８】
かかる構成によれば、周囲の明るさの変化と時間の経過を組み合わせることによって、音声コンテンツを環境の変化に対応して柔軟に切り換えることができる。
【００１９】
また、本発明の表示装置において、前記音声制御部は、前記輝度センサーで読み取った値に基づいて、出力するメッセージを選択するメッセージ選択部を備える。
【００２０】
かかる構成によれば、周囲の明るさの変化など輝度センサーで読み取った値に基づいて、出力するメッセージを選択するので、環境の変化に応じた最適なメッセージを自動的に選択することができる。
【００２１】
また、本発明の表示装置は、前記タイマー制御部で設定した時間に基づいて前記音声制御部が音量調節を行うことを特徴とする。
【００２２】
かかる構成によれば、周囲の明るさの変化と時間の経過を組み合わせることによって、環境の変化に柔軟に対応する音量で音声コンテンツを出力することができる。
【００２３】
また、本発明の表示装置は、前記輝度センサーからの情報で、前記表示部の発光輝度の制御を行う輝度制御部を備える。
【００２４】
かかる構成によれば、周囲の明るさの変化など輝度センサーで読み取った値に基づいて、表示部の発光輝度の制御を行うので、環境の変化に応じてその都度制御しなくても表示部の発光輝度を適切に制御することができる。
【００２５】
また、本発明の表示装置において、前記表示部は、マトリックス状に配置された複数のＬＥＤ（発光ダイオード）を備える。
【００２６】
かかる構成によれば、表示部は、マトリックス状に配置された複数のＬＥＤを備えるので、環境の変化に対する耐久性の高い表示装置を提供することができる。
【００２７】
また、本発明は、表示部と、輝度センサーと、スピーカーとを備えた表示装置の画面表示方法であって、前記輝度センサーで読み取った値に基づいて、前記スピーカーに出力するための音楽コンテンツなどの音声情報を制御する音声制御工程を含む表示装置の画面表示方法である。
【００２８】
かかる構成によれば、周囲の明るさの変化など輝度センサーで読み取った値に基づいて、スピーカーに出力するための音声情報を制御するので、環境の変化に応じてその都度制御しなくても音声情報を適切に制御することができる。
【００２９】
また、本発明の表示装置の画面表示方法において、前記音声制御工程は、前記輝度センサーで読み取った値に基づいて、音量調節を行う音量調節工程を含む。
【００３０】
かかる構成によれば、周囲の明るさの変化など輝度センサーで読み取った値に基づいて、スピーカーから出力する音量を調節するので、周囲の明るさの変化に応じてその都度制御しなくても音量を適切に制御することができる。
【００３１】
また、本発明の表示装置の画面表示方法において、前記音声制御工程は、前記輝度センサーで読み取った値に基づいて、出力する音楽を選択する音楽選択工程を含む。
【００３２】
かかる構成によれば、周囲の明るさの変化など輝度センサーで読み取った値に基づいて、出力する音楽を選択するので、環境の変化に応じた最適な音楽を自動的に選択することができる。
【００３３】
また、本発明の表示装置の画面表示方法において、前記音声制御工程は、さらに時間で表示の切り替えを行うタイマー制御工程を含む。
【００３４】
かかる構成によれば、周囲の明るさの変化と時間の経過を組み合わせることによって、音声コンテンツを環境の変化に対応して柔軟に切り換えることができる。
【００３５】
また、本発明は、画像および音声を出力するための表示システムであって、周囲の明るさを検出する輝度センサーと、前記輝度センサーが検出した周囲の明るさに応じた音量を出力するスピーカーとを備えた表示装置と、ネットワークに接続され、前記表示装置で出力可能な表示コンテンツおよび音声コンテンツを送信するサーバと、携帯電話網を介して前記ネットワークに接続され、前記サーバから前記表示コンテンツおよび音声コンテンツをダウンロードするとともに、ダウンロードした前記表示コンテンツおよび音声コンテンツを赤外線による無線通信により前記表示装置に送信する携帯端末とを含むことを特徴とする表示システムである。
【００３６】
かかる構成によれば、表示装置は、周囲の明るさを検出する輝度センサーと、前記輝度センサーが検出した周囲の明るさに応じた音量を出力するスピーカーとを備えるので、屋外で使用されることが多い表示装置の音量を、天候の急変など環境の変化に応じて適切に調整することができる。
【発明の効果】
【００３７】
以上説明したように、本発明にかかる表示装置、画面表示方法および表示システムによれば、輝度センサーからの情報を読み取ることにより、周囲の明るさの変化によって自動で音量調節をする表示装置の自動音量調節を実現することができる。また、タイマー設定を行うことにより、時間の変化によって自動で音量調節をする表示装置の自動音量調節を実現することができる。
【発明を実施するための最良の形態】
【００３８】
以下、本発明の実施形態について、図面を参照しつつ詳細に説明する。
【００３９】
（実施の形態１）
図１は、本発明の実施形態における表示装置の概略構成を示すブロック図である。図１において、表示装置は、周囲の明るさの情報を読み取る輝度センサー５２や音楽制御部５６にある音楽コンテンツを出力するスピーカー５３を備える表示部５１と、輝度センサー５２で読み取った情報を制御する輝度制御部５５と、前記輝度制御部５５からの情報に基づいて音楽コンテンツや音量設定等の情報を制御する音楽制御部５６と、時間で表示の切り替えを行う設定を制御するタイマー制御部５７を備える制御部５４を有する。
【００４０】
図２は、本発明の実施の形態１において、表示装置の制御部５４による自動音量調節を示すフローチャートである。表示装置の制御部５４は、輝度センサー５２から周囲の輝度値を読み取る（ステップＳ２１）。次いで、読み取った輝度値が明るいか判定する（ステップＳ２２）。判定した結果が明るい（Ｙｅｓ）ならば、音楽制御部５６に音量［大］を書き込む（ステップＳ２３）。
【００４１】
一方、ステップＳ２２で判定した結果が明るくなければ（Ｎｏ）、読み取った輝度値が普通かどうか判定する（ステップＳ２４）。判定した結果が普通ならば（Ｙｅｓ）、音楽制御部５６に音量［中］を書き込む（ステップＳ２５）。ステップＳ２４で判定した結果が普通でなければ（Ｎｏ）、音楽制御部５６に音量［小］を書き込む（ステップＳ２６）。ステップＳ２３、Ｓ２５、Ｓ２６で音楽制御部５６に音量を書き込むと本フローを終了する。
【００４２】
本実施形態の表示装置によれば、周囲の明るさの変化など輝度センサー５２で読み取った値に基づいて、スピーカー５３に出力するための音声情報を制御するので、環境の変化に応じてその都度制御しなくても音声情報を適切に制御することができる。
【００４３】
（実施の形態２）
図３は、本発明の実施の形態２における表示装置の制御部５４による自動音量調節を示すフローチャートである。また、図４は、タイマー制御部５７におけるタイマー条件の例を示す。
【００４４】
図３に示すように、表示装置の制御部５４は、輝度センサー５２から周囲の輝度値を読み取る（ステップＳ２９）。次いで、読み取った輝度値が明るいか判定する（ステップＳ３０）。判定した結果が明るい（Ｙｅｓ）ならば、タイマー制御部５７はタイマー条件を判定する（ステップＳ３１）。判定した結果が「タイマー条件１」（１０時〜１７時：図４参照）ならば、音楽制御部５６に音量［大］を書き込む（ステップＳ３２）。
【００４５】
ステップＳ３１で判定した結果が「タイマー条件２」（１７時〜２１時）ならば、音楽制御部５６に音量［中］を書き込む（ステップＳ３３）。また、判定した結果が「タイマー条件３」（２１時〜１０時）ならば、音楽制御部５６に音量［小］を書き込む（ステップＳ３４）。
【００４６】
一方、ステップＳ３０で判定した結果が明るくない（Ｎｏ）の場合は、音楽制御部５６に音量［小］を書き込む（ステップＳ３４）。ステップＳ３２、Ｓ３３、Ｓ３４で音楽制御部５６に音量を書き込むと本フローを終了する。
【００４７】
本実施形態の表示装置によれば、周囲の明るさの変化と時間の経過を組み合わせることによって、環境の変化に柔軟に対応する音量で音声コンテンツを出力することができる。
【００４８】
（実施の形態３）
図５は、本発明の実施の形態３に係る表示システムの全体構成を示すブロック図である。また、図６は、その表示システムの表示装置６０の概略構成を示すブロック図である。
【００４９】
この実施形態の表示システムは、営業案内や集客のための文字やイラスト等を発光表示する表示装置６０と、この表示装置６０との間で赤外線による通信を行い、表示装置６０に音声データおよび表示データを与える携帯電話機６２と、表示装置６０に与えるための音声データおよび表示データを携帯電話機６２に配信するサーバ６３と、サーバ６３に接続され、音声データおよび表示データを蓄積するデータベース６４とを備えて構成される。
【００５０】
サーバ６３はインターネット６６に接続されており、携帯電話機６２は携帯電話網６７経由でインターネット６６に接続されるようになっている。サーバ６３は、携帯電話機６２よりアクセスがあると、その携帯電話機６２がサーバ６３との間でデータの送受信ができるプログラムを送信する。そして、携帯電話機６２にプログラムを与えた後、携帯電話機６２との間でＨＴＴＰ（Hyper Text Transfer Protocol）プロトコルを用いてデータの送受信を行う。
【００５１】
携帯電話機６２は、通常の携帯電話機として機能する他に、インターネット６６にアクセスできる機能と、表示装置６０のリモコンとしての機能を有する。携帯電話機６２をリモコンとして機能させた場合、携帯電話網６７、インターネット６６経由でサーバ６３にアクセスすることにより、サーバ６３から与えられるプログラムに従って動作する。そして、サーバ６３との間でデータの送受信を行うときにはＨＴＴＰを用いる。サーバ６３から音声データおよび表示データを取得すると、それを表示装置６０に送信する。データベース６４に格納される音声データには音楽データとメッセージ・データとがあり、表示データには文章データと画像データとがある。
【００５２】
表示装置６０は、図６に示すように、複数の発光ダイオード等の発光素子をプリント基板上にマトリックス状に配置して構成されたＬＥＤ表示部７１と、表示装置６０の周囲の明るさを検出する輝度センサー５２と、音声コンテンツに従って音声を出力するスピーカー５３と、赤外線を利用して通信を行う赤外線受信機能を有し、携帯電話機６２との間で通信を行うリモコン受信部７２と、制御プログラム記憶部９０、表示コンテンツ記憶部９３および音声コンテンツ記憶部９４とが確保されるメモリ部７３と、装置各部を制御する制御部７４とを備えて構成される。
【００５３】
メモリ部７３の制御プログラム記憶部９０には表示装置６０の基本的な動作を制御する制御プログラムが格納され、表示コンテンツ記憶部９３にはＬＥＤ表示部７１に表示するための表示コンテンツが格納され、音声コンテンツ記憶部９４にはスピーカーから出力する音楽またはメッセージなどの音声コンテンツが格納される。
【００５４】
制御部７４は、所謂マイコンと呼ばれるコンピュータであり、メモリ部７３の制御プログラム記憶部９０に格納されているプログラムに従って動作する。制御部７４は、リモコン受信部７２にて携帯電話機６２からの表示コンテンツまたは音声コンテンツが受信されたときには、受信された表示コンテンツまたは音声コンテンツをメモリ部７３の表示コンテンツ記憶部９３または音声コンテンツ記憶部９４に格納する。そして、表示コンテンツを基にＬＥＤ表示部７１の各発光素子を点灯駆動して文字やイラスト等の表示パターンを発光表示し、音声コンテンツを基にスピーカー５３を駆動して音楽やメッセージを出力する。
【００５５】
なお、表示装置６０に操作部を設けて、この操作部を操作することで、表示コンテンツに基づく発光表示、または音声コンテンツに基づく音声出力を行うようにしても良い。すなわち、携帯電話機６２によるリモコン操作の他に、表示装置６０単独での操作を可能にしても良い。
【００５６】
次に、上記構成の表示システムの動作について説明する。先ず、図７に示す手順を参照して携帯電話機６２とサーバ６３との間における音声データおよび表示データの通信の概略について説明する。
【００５７】
携帯電話機６２には、選択キーと、クリアキーとが備えられており、選択キーは、例えば以下で説明するメニュー画面における各項目の選択及び決定に使用され、クリアキーは、例えば選択キーで選択された項目での処理の終了に使用される。選択キーにおける決定操作は、選択キーの中央部分を押下する。
【００５８】
携帯電話機６２からサーバ６３にアクセスするためには、まず携帯電話機６２からサーバ６３を管理するサービス会社に電話を掛けてサーバ６３に接続要求を出す。要求が受け付けられると、サーバ６３に接続される（ステップＳ４１）。サーバ６３に接続した後、サーバ６３からプログラムが送信されてくるので、それを受信する（ステップＳ４２）。また、プログラムの送信に続けてメニュー画面が送信されてくるので、それを受信する（ステップＳ４３）。携帯電話機６２は受信したプログラムを起動し、携帯電話機６２の液晶表示部にメニュー画面を表示する。
【００５９】
携帯電話機６２のユーザは、メニュー画面を見て選択キーを操作して所望の音声データまたは表示データを選択する（ステップＳ４４）。携帯電話機６２は、ユーザが選択した音声データまたは表示データをサーバ６３に要求し、この要求によりサーバ６３から送信されてくる音声データまたは表示データを受信する（ステップＳ４５）。この場合、サーバ６３は、携帯電話機６２に送信する音声データまたは表示データを表示装置６０で使用できる形式に変換した後に送信する。携帯電話機６２は、受信した音声データまたは表示データを表示装置６０に送信する（ステップＳ４６）。
【００６０】
サーバ６３より送信されてくる音声コンテンツには、携帯電話機６２のユーザが作成したメッセージ・データを表示装置６０で使用できる形式に変換したものや、サーバ６３のデータベース６４に蓄積された音楽データを表示装置６０で使用できる形式に変換したものがある。また、サーバ６３より送信されてくる表示コンテンツには、携帯電話機６２のユーザが作成した文章データを表示装置６０で使用できる形式に変換したものや、サーバ６３のデータベース６４に蓄積された画像データを表示装置６０で使用できる形式に変換したものがある。
【００６１】
図８は、本発明の実施の形態における表示装置６０の内部構成を示すブロック図である。表示装置６０に搭載されるＣＰＵ（central processing unit：中央処理装置）８９は、ＲＯＭ（read-only memory：読み出し専用メモリ）等で構成される制御プログラム記憶部９０に記憶された制御プログラムに従って表示装置全体を制御する。出力データ記憶部９１は、音声コンテンツおよび表示コンテンツのデータの出力タイミングを規定する音声スケジュールデータおよび表示スケジュールデータと、表示装置６０に関する各種データとを記憶する。
【００６２】
キャラクタメモリ９２は、コードに置き換えられた文字・絵記号（キャラクタ）をドットパターンで記憶する。表示コンテンツ記憶部９３は、ＬＥＤ表示部７１に表示する複数の表示コンテンツを記憶する。音声コンテンツ記憶部９４は、スピーカー５３から出力する複数の音声コンテンツを記憶する。
【００６３】
キャラクタ属性設定部９５は、表示コンテンツに付与されているキャラクタ属性に応じ、キャラクタメモリ９２から読み出した文字・絵記号を表すドットパターンを標準の字体もしくは太字の字体でＶＲＡＭ（video random-access memory）８３に設定する。ＶＲＡＭ８３は、表示スケジュールにしたがって読み出した表示コンテンツをドット情報として一時的に格納する。
【００６４】
輝度制御部５５は、ＬＥＤの点灯／消灯を与えるオン／オフ信号のデューティー比を変えることにより発光輝度を変えることができる。すなわち、ＬＥＤオン／オフ信号の周期に対するオン時間の割合を変えて輝度を調節するもので、発光輝度２５％のときはオン／オフ信号１周期に占めるオン時間の割合を２５％として残りの７５％はオフ時間とし、発光輝度１００％のときは１周期全部をオンにする。表示駆動部８２は、ＶＲＡＭ８３に格納された表示コンテンツを輝度制御部５５で設定されたデューティー比に従ってＬＥＤ駆動信号としてＬＥＤ表示部７１に出力する。
【００６５】
ＬＥＤ表示部７１は、プリント基板上にＬＥＤをドットマトリクス状に配列して構成されている。ＬＥＤ表示部７１には複数の文字を表示することが可能であり、例えば、１６×１６ドットのマトリクスで表される全角サイズの文字が横方向に３文字、縦方向に２文字、合計６文字表示可能なように４８×３２ドットでマトリクスを構成している。ＬＥＤ表示部７１に配列された各ＬＥＤは表示駆動部８２によって発光駆動され、マトリクス上に文字・絵記号・画像等からなる表示コンテンツを発光表示する。
【００６６】
輝度センサー５２はＣｄＳ等で構成され、輝度センサーインターフェース（ＩＦ）８４を介してＣＰＵ８９に接続され、周囲の明るさに関する情報を与える。ＣＰＵ８９は、輝度センサー５２から受けた出力値と予め設定されたしきい値とを比較し、しきい値より出力値が高ければ周囲が日中であると判断し、音声制御部５６に出力データ記憶部９１から読み出した日中の音量を指示する。出力値がしきい値より低ければ周囲が夜間であると判断し、音声制御部５６に夜間の音量を指示する。
【００６７】
また、ＣＰＵ８９は、輝度センサー５２から受けた出力値と予め設定されたしきい値とを比較し、しきい値より出力値が高ければ周囲が日中であると判断し、輝度制御部５５に出力データ記憶部９１から読み出した日中の発光輝度を指示する。出力値がしきい値より低ければ周囲が夜間であると判断し、輝度制御部５５に夜間の発光輝度を指示する。
【００６８】
音声制御部５６は、音声コンテンツ記憶部９４に記憶された音声情報を、輝度センサー５２が検出した周囲の明るさに基づいた音量となるようにスピーカー５３を駆動する。タイマー制御部５７は、ＣＰＵ８９から任意のタイミングで要求を受け、現在時刻・年・日付・曜日を出力する。
【００６９】
リモコン８５は赤外線によるデータ入力手段であり、ＬＥＤ表示部７１の表示画面上に設けられたリモコン受信部７２を介して音声コンテンツおよび表示コンテンツの作成や変更、あるいは出力スケジュールの設定や各種データ設定の操作をすることができる。携帯電話機６２は、サーバ６３から制御プログラムをダウンロードすることにより、表示装置６０に対するリモコンとして機能し、赤外線による制御データをリモコン受信部７２に送信する。
【００７０】
ＰＣカード８７は、ＰＣカードインターフェース（ＩＦ）８８を介して着脱され、外部のパソコン等で作成した表示コンテンツおよび音声コンテンツ、出力スケジュール、各種データを表示コンテンツ記憶部９３および音声コンテンツ記憶部９４等に転送するための記憶媒体として用いられる。
【００７１】
このように、本実施形態の表示システムによれば、周囲の明るさを検出する輝度センサー５２と、輝度センサー５２が検出した周囲の明るさに応じた音量を出力するスピーカー５３とを備えた表示装置６０と、インターネット６６に接続され、表示装置６０で出力可能な表示コンテンツおよび音声コンテンツを送信するサーバ６３と、携帯電話網６７を介してインターネット６６に接続され、サーバ６３から表示コンテンツおよび音声コンテンツをダウンロードするとともに、ダウンロードした表示コンテンツおよび音声コンテンツを赤外線による無線通信により表示装置６０に送信する携帯電話機６２とを含むことにより、周囲の明るさなどの環境変化に応じて音楽コンテンツなどの音声情報を適切に制御することができる。
【産業上の利用可能性】
【００７２】
本発明は、周囲の明るさに応じて音量を自動で調節する表示装置、画面表示方法および表示システムとして利用可能である。
【図面の簡単な説明】
【００７３】
【図１】本発明の実施の形態１にかかる表示装置の概略構成を示すブロック図
【図２】本発明の実施の形態１にかかる制御部の自動音量調節を示すフローチャート
【図３】本発明の実施の形態２にかかる制御部の自動音量調節を示すフローチャート
【図４】本発明の実施の形態２にかかるタイマー条件の設定イメージを表す図
【図５】本発明の実施の形態３にかかる表示システムの全体構成を示すブロック図
【図６】本発明の実施の形態３にかかる表示装置６０の概略構成を示すブロック図
【図７】本発明の実施の形態３にかかる表示システムの動作を示すフローチャート
【図８】本発明の実施の形態３における表示装置６０の内部構成を示すブロック図
【図９】従来の音声付き電光表示器の概略構成を示す図
【図１０】従来の音楽コンテンツ配信システムの概念図
【図１１】従来の制御部の音量調節を示すフローチャート
【符号の説明】
【００７４】
５  表示器本体
６  記憶媒体
２２  アンプ
２４  内部記憶装置
２５  電子音声発生装置
３０  音声付き電光表示器
５１  表示部
５２  輝度センサー
２１，５３  スピーカー
５４，７４  制御部
５５  輝度制御部
５６  音楽制御部
５７  タイマー制御部
６０  表示装置
６２  携帯電話機
６３  サーバ
６４  データベース
６６  インターネット
６７  携帯電話網
７１  ＬＥＤ表示部
７２  リモコン受信部
７３  メモリ部
８２  表示駆動部
８３  ＶＲＡＭ
８４  輝度センサーインターフェース
８５  リモコン
８７  ＰＣカード
８８  ＰＣカードインターフェース
８９  ＣＰＵ
９０  制御プログラム記憶部
９１  出力データ記憶部
９２  キャラクタメモリ
９３  表示コンテンツ記憶部
９４  音声コンテンツ記憶部
９５  キャラクタ属性設定部
１００  音楽コンテンツ配信事業者システム
１０２  課金事業者システム
１０３  インターネット網
１０４  音楽コンテンツ配信対象物
【図１】
2007293020.tif 000003
【図２】
2007293020.tif 000004
【図３】
2007293020.tif 000005
【図４】
2007293020.tif 000006
【図５】
2007293020.tif 000007
【図６】
2007293020.tif 000008
【図７】
2007293020.tif 000009
【図８】
2007293020.tif 000010
【図９】
2007293020.tif 000011
【図１０】
2007293020.tif 000012
【図１１】
2007293020.tif 000013